(57)【特許請求の範囲】
【請求項１】
リム内に形成され、水により便鉢を洗浄可能なリム通水路を有する便器本体と、
該リム通水路に該水を供給可能なリム用導管と、
該水を供給する給水管に入水ポートが接続され、該水を供給・停止可能である出水ポートに該リム用導管が接続されるとともに、該リム通水路の最上面より上方で大気と連通する大気孔を有する弁手段と、を備えたタンクレス便器において、
前記便器本体の壁面には前記リム通水路に通ずる通孔が貫設され、該通孔内には、前記リム用導管と連通する給水路と、前記大気孔に接続される配管と連通する排水路とを有するスパッドが係合されていることを特徴とするタンクレス便器。
【請求項２】
スパッドは、通孔に係合される本体部と、該本体部に設けられ、リム用導管を係合させる第１係合部と、該本体部に設けられ、大気孔に接続される配管を係合させる第２係合部と、該本体部に設けられ、リム通水路内まで延在する案内部とを有し、少なくとも該第１係合部及び該案内部により該リム用導管と連通する給水路が形成され、少なくとも該第２係合部により該配管と連通する排水路が形成されていることを特徴とする請求項１記載のタンクレス便器。
【請求項３】
前記便器本体は、該便器本体の壁面に隠蔽され、前記リム通水路に後方から繋がるリム導水路を有し、
前記案内部は、該リム導水路を通過し、該リム通水路内まで延在していることを特徴とする請求項１又は２記載のタンクレス便器。
【発明の詳細な説明】
【０００１】
【発明の属する技術分野】
本発明は、便器洗浄タンクを有さず、水道管等の給水管から供給される水を便器本体へ直接供給可能なタンクレス便器に関する。
【０００２】
【従来の技術】
近年、スペースの有効活用等の観点から、給水管から供給される水を便器本体へ直接供給可能なタンクレス便器が開発されつつある（特開平３−９０７２３号公報）。かかるタンクレス便器では、便器本体のリム内に水により便鉢を洗浄可能なリム通水路が形成され、リム用導管は便器本体の壁面に隠蔽されたリム通水路に後方から繋がるリム導水路を介し、このリム通水路に水を供給可能になされている。また、弁手段として、入水ポート及び出水ポートを有する開閉弁と、大気孔を有するバキュームブレーカとが採用されている。開閉弁の入水ポートには導管を介して給水管が接続され、出水ポートにはリム用導管が接続されている。バキュームブレーカの大気孔はリム通水路の最上面より上方で大気と連通される。
【０００３】
かかるタンクレス便器では、給水管から導管を経て開閉弁の入水ポートに水が供給され、その水は、開閉弁の開弁により、出水ポートからリム用導管を経て便器本体のリム通水路に供給される。これにより、水が便鉢に射水され、便鉢の洗浄が行われる。この際、バキュームブレーカの大気孔は、それより下流側を大気に開放しているため、給水管、導管及びこれらより上流側が負圧になっても、リム通水路内の水を弁手段及びこれより上流側に逆流させない。
【０００４】
【発明が解決しようとする課題】
しかし、便器本体は、便鉢周りにリムが有り、リム内にリム通水路が形成される。この一方、リム通水路の後部からリム用導管により水を供給することが美観上好ましい。この点、上記従来のタンクレス便器では、便器本体がそのリム通水路に繋がるリム導水路を便器本体の壁面に隠蔽して有し、このリム導水路の上方に通孔を貫設し、その通孔でリム用導管を便器本体に接続している。この場合、リム用導管内の水は、リム導水路内を流れた後でリム通水路に至ることとなり、リム導水路内を流れる間の抵抗により便鉢内への射水力が弱くなり、洗浄能力が劣るおそれがある。
【０００５】
また、弁手段の大気孔からは水が漏れやすく、かかる水は便器本体の便鉢内に戻すことが便宜である。この点、従来のタンクレス便器では、この点についての考慮がなされていない。仮に、従来のタンクレス便器において、大気孔に配管を接続し、その配管を便器本体に接続するとすれば、そのための通孔は、リム用導管を便器本体に接続するための通孔とは別に貫設されなければならない。こうであれば、陶器製の便器本体に二つの通孔を貫設しなければならず、製造が面倒となり、製造コストの高騰化を招来してしまう。
【０００６】
本発明は、上記従来の実情に鑑みてなされたものであって、リム通水路内の水の洗浄能力を劣らせることなく、かつ製造コストの低廉化を実現可能なタンクレス便器を提供することを解決すべき課題としている。
【０００７】
【課題を解決するための手段】
本発明のタンクレス便器は、リム内に形成され、水により便鉢を洗浄可能なリム通水路を有する便器本体と、
該リム通水路に該水を供給可能なリム用導管と、
該水を供給する給水管に入水ポートが接続され、該水を供給・停止可能である出水ポートに該リム用導管が接続されるとともに、該リム通水路の最上面より上方で大気と連通する大気孔を有する弁手段と、を備えたタンクレス便器において、
前記便器本体の壁面には前記リム通水路に通ずる通孔が貫設され、該通孔内には、前記リム用導管と連通する給水路と、前記大気孔に接続される配管と連通する排水路とを有するスパッドが係合されていることを特徴とする。
【０００８】
本発明のタンクレス便器では、便器本体の壁面にリム通水路に通ずる通孔が貫設されており、かかる通孔に給水路と排水路とを有するスパッドが係合されている。
このため、このタンクレス便器では、リム用導管がスパッドの給水路に連通することから、リム用導管内の水がリム通水路に至る。
【０００９】
また、弁手段の大気孔は、配管を介してスパッドの排水路に連通することから、弁手段の大気孔から漏れる水は、配管を介し、排水路を流れ、リム通水路から便鉢内に戻される。
そして、本発明のタンクレス便器では、スパッドを設けるための通孔さえ便器本体に貫設すれば、リム用導管と大気孔に接続された配管とを便器本体に接続することができるので、製造が容易となり、製造コストの低廉化を実現できる。
【００１０】
したがって、本発明のタンクレス便器では、製造コストの低廉化を実現することができる。
また、通孔を便器本体の後壁面に貫設する場合には、便器本体の上面を広くすることができ、スペースの有効活用により、一層美観を呈することができる。
スパッドは、通孔に係合される本体部と、この本体部に設けられ、リム用導管を係合させる第１係合部と、本体部に設けられ、大気孔に接続される配管を係合させる第２係合部と、本体部に設けられ、リム通水路内まで延在する案内部とを有して構成され得る。この場合、少なくとも第１係合部及び案内部によりリム用導管と連通する給水路が形成される。また、少なくとも第２係合部により配管と連通する排水路が形成される。
【００１１】
ここで、案内部が給水路をリム通水路の一方向及び他方向に開口させる射水口を有する場合には、リム通水路に両方向から水を射水することができるため、水の射水圧力が比較的低くても、便鉢の洗浄能力を高めることができる。
【００１２】
【発明の実施の形態】
以下、本発明を具体化した実施形態１〜４を図面を参照しつつ説明する。
（実施形態１）
実施形態１のタンクレス便器は、図１に示すように、便器本体１の後方にベースプレート２を介して弁手段としての給水装置３が組込まれ、給水装置３はカバー４により隠蔽されている。
【００１３】
便器本体１は、図３にも示すように、排泄物を受ける便鉢１ａと、便鉢１ａの上部周縁に巡らされ、内部にリム通水路１ｂを有するリム１ｃと、図１に示すように、便鉢１ａの底に連通し、排泄物を流すトラップ１ｄとを備えている。リム通水路１ｂには、図３及び図４に示すように、便器本体１の後壁面１ｅに隠蔽されたリム導水路１ｆが後方から繋がっている。また、図１に示すように、トラップ１ｄの入口にはジェットノズル５が取り付けられている。なお、便座及び便蓋の図示は省略している。
【００１４】
給水装置３は、入水ポート３ａ、第１出水ポート３ｂ及び第２出水ポート３ｃを有しており、入水ポート３ａより取り入れた水を第１出水ポート３ｂ及び第２出水ポート３ｃに選択的に供給・停止可能なものである。入水ポート３ａには水道管等の給水管に図示しない止水栓を介してフレキシブルホース６が接続されている。第１出水ポート３ｂにはリム用導管７が接続されており、第２出水ポート３ｃにはジェット用導管８が接続されている。また、給水装置３はバキュームブレーカ３ｄを有しており、バキュームブレーカ３ｄの大気孔３ｅには配管としてのチューブ９が接続されている。チューブ９には便器本体１のリム通水路１ｂの最上面より上方で大気と連通する図示しない吸気口が貫設されている。
【００１５】
給水装置３のリム用導管７は、図２〜４に示すように、スパッド１０により便器本体１に接続されている。すなわち、図３に示すように、便器本体１の後壁面１ｅにはリム導水路１ｆに連通する通孔１ｇが貫設され、この通孔１ｇ内にスパッド１０が係合されている。
スパッド１０は、図５及び図６に示すように、通孔１ｇに係合される本体部１１と、この本体部１１と一体をなし、リム用導管７を係合させる第１係合部１２と、本体部１１と一体をなし、チューブ９を係合させる第２係合部１３と、本体部１１と一体をなし、リム通水路１ｂ内まで延在する案内部１４とを有している。本体部１１、第１係合部１２及び案内部１４内にリム用導管７と連通する給水路１０ａが形成されている。また、本体部１１及び第２係合部１３内にチューブ９と連通する排水路１０ｂが形成されている。
【００１６】
本体部１１の内方側の外周には内端側に向かって外広がりのテーパ面１１ａが形成され、このテーパ面１１ａより外端側の外周には雄螺子１１ｂが形成されている。本体部１１の外端側には本体部１１から突出して第１係合部１２が形成されており、第１係合部１２の外周には雄螺子１１ｂより小径の雄螺子１２ａが形成されている。また、本体部１１の内端側に筒状の案内部１４が圧入されている。案内部１４は、図３及び図４に示すように、給水路１０ａをリム通水路１ｂの一方向に開口させる射水口１４ａと、他方向に開口させる射水口１４ｂとを有している。本体部１１の外端側には第１係合部１２と平行に第２係合部１３が形成されている。
【００１７】
かかるスパッド１０は以下のように便器本体１の通孔１ｇに係合される。まず、本体部１１のテーパ面１１ａの外側にスカートパッキン１５を嵌め込み、便器本体１の通孔１ｇ内に後壁面１ｅの内方からスカートパッキン１５とともに挿入する。そして、後壁面１ｅを挟んで平パッキン１６及び図示しないスリップワッシャを嵌め、雄螺子１１ｂに座付ナット１７を螺合する。次いで、第１係合部１２の給水路１０ａ内にリム用導管７を挿入し、アジャストパッキン１８及び図示しないスリップワッシャを雄螺子１２ａに嵌め、雄螺子１２ａに袋ナット１９を螺合する。この後、第２係合部１３の外周面にチューブ９を嵌める。
【００１８】
以上のように構成されたタンクレス便器では、図１及び図３に示すように、給水管から止水栓及びフレキシブルホース６を経て給水装置３の入水ポート３ａに水が供給される。その水は、給水装置３における第１出水ポート３ｂの開弁により、第１出水ポート３ｂからリム用導管７を経て便器本体１のリム通水路１ｂに供給される。これにより、水が便鉢１ａに射水され、便鉢１ａの洗浄が行われる。また、その水は、給水装置３における第２出水ポート３ｃの開弁により、第２出水ポート３ｃからジェット用導管８を経てジェットノズル５に供給される。これにより、トラップ１ｄに強制的にサイホン作用を生じさせる。これらの際、バキュームブレーカ３ｄの大気孔３ｅは、それより下流側を吸気口により大気に開放しているため、給水管、止水栓、フレキシブルホース６及びこれらより上流側が負圧になっても、リム通水路１ｂ内の水を給水装置３及びこれより上流側に逆流させない。
【００１９】
また、このタンクレス便器では、便器本体１がそのリム通水路１ｂに後方から繋がるリム導水路１ｆを後壁面１ｅに隠蔽して有し、美観を呈している。そして、図５に示すように、その後壁面１ｅにリム導水路１ｆに連通する通孔１ｇが貫設されており、かかる通孔１ｇに給水路１０ａと排水路１０ｂとを有するスパッド１０が係合されている。
【００２０】
このため、このタンクレス便器では、図４に示すように、リム用導管７がスパッド１０の給水路１０ａによりリム通水路１ｂに連通することから、リム用導管７内の水がリム導水路１ｆ内を流れることなく、スパッド１０の給水路１０ａによりリム通水路１ｂに至る。このため、図１に示す便鉢１ａ内への射水力は維持され、洗浄能力が劣るおそれがない。
【００２１】
また、給水装置３の大気孔３ｅは、チューブ９を介してスパッド１０の排水路１０ｂに接続され、その排水路１０ｂによりリム導水路１ｆに連通することから、給水装置３の大気孔３ｅから漏れる水は、チューブ９を介し、便鉢１ａの洗浄に関係する給水路１０ａとは独立した排水路１０ｂによりスパッド１０の案内部１４周りのリム導水路１ｆを流れ、リム通水路１ｂから便鉢１ａ内に戻される。
【００２２】
そして、このタンクレス便器では、スパッド１０を設けるための通孔１ｇさえ便器本体１に貫設すれば、リム用導管７と大気孔３ｅに接続されたチューブ９とを便器本体１に接続することができるので、製造が容易となり、製造コストの低廉化を実現できる。
したがって、このタンクレス便器では、リム通水路１ｂ内の水の洗浄能力を劣らせることなく、かつ製造コストの低廉化を実現することができる。
【００２３】
また、このタンクレス便器では、通孔１ｇを便器本体１の後壁面１ｅに貫設しているため、便器本体１の上面を広くすることができ、スペースの有効活用により、一層美観を呈している。
さらに、このタンクレス便器では、スパッド１０の案内部１４が一対の射水口１４ａ、１４ｂを有し、これら射水口１４ａ、１４ｂによりリム通水路１ｂに両方向から水を射水することができるため、水の射水圧力が比較的低くても、便鉢１ａの洗浄能力を高めることができる。
（実施形態２）
実施形態２のタンクレス便器では、図７及び図８に示すスパッド２０を採用している。他の構成は実施形態１と同様である。
【００２４】
スパッド２０は、通孔１ｇに係合される本体部２１と、この本体部２１に設けられたハウジング２２と、本体部２１及びハウジング２２内に設けられ、リム通水路１ｂ内まで延在する案内部２３とを有している。ハウジング２２には、リム用導管７を係合させる第１係合部２２ａと、チューブ９を係合させる第２係合部２２ｂとが形成されている。本体部２１、ハウジング２２及び案内部２３内にリム用導管７と連通する給水路２０ａが形成されている。また、本体部２１の外面及びハウジング２２の内面とでチューブ９と連通する排水路２０ｂが形成されている。
【００２５】
本体部２１の内方側には周方向で４分割され、先端側が先細りのコレット２１ａが形成され、コレット２１ａより外端側の外周には雄螺子２１ｂが形成されている。
ハウジング２２は、本体部２１の外端側にＯリング２４を介し、雄螺子２１ｂに螺合されている。ハウジング２２の外端に同軸に第１係合部２２ａが突設されており、第１係合部２２ａの外周に傾斜して第２係合部２２ｂが突設されている。第１係合部２２ａにはフランジ２２ｃが形成されている。
【００２６】
また、本体部２１には、外端にフランジ２３ｃをもつ筒状の案内部２３が挿入されている。案内部２３は、給水路２０ａをリム通水路１ｂの一方向に開口させる射水口２３ａと、他方向に開口させる射水口２３ｂとを有している。
かかるスパッド２０は以下のように便器本体１の通孔１ｇに係合される。まず、本体部２１のコレット２１ａを縮径しつつ、便器本体１の通孔１ｇ内に後壁面１ｅの外方からその本体部２１を挿入する。この後、後壁面１ｅとの間にパッキン２６を設けつつ、ハウジング２２を本体部２１の雄螺子２１ｂに螺合させる。次いで、第１係合部２２ａの給水路２０ａ内にフランジ２３ｃがハウジング２２の段部２２ｄに当接するまで案内部２３を挿入する。そして、第１係合部２２ａのフランジ２２ｃとリム用導管７のフランジ７ａとをクリップ２５により係止し、第１係合部２２ａにリム用導管７を係合する。また、第２係合部２２ｂの外周面にチューブ９を嵌める。
【００２７】
以上のように構成されたタンクレス便器においても、実施形態１と同様の作用及び効果を奏することができる。
（実施形態３）
実施形態３のタンクレス便器では、図９及び図１０に示すスパッド３０を採用している。他の構成は実施形態１と同様である。
【００２８】
スパッド３０は、通孔１ｇに係合される本体部３１と、この本体部３１と一体をなし、リム用導管７を係合させる第１係合部３２と、本体部３１に設けられ、チューブ９を係合させる第２係合部３３と、本体部３１と一体をなし、リム通水路１ｂ内まで延在する案内部３４とを有している。本体部３１、第１係合部３２及び案内部３４内にリム用導管７と連通する給水路３０ａが形成されている。また、第２係合部３３内にチューブ９と連通する排水路３０ｂが形成されている。
【００２９】
本体部３１の内方側には周方向で４分割され、先端側が先細りのコレット３１ａが形成されている。本体部３１と一体の第１係合部３２の外周には雄螺子３２ａが形成されている。また、本体部３１には筒状の案内部３４が圧入されている。案内部３４は、給水路３０ａをリム通水路１ｂの一方向に開口させる射水口３４ａと、他方向に開口させる射水口３４ｂとを有している。また、本体部３１には第２係合部３３のフランジ３３ａが嵌め込まれている。
【００３０】
かかるスパッド３０は以下のように便器本体１の通孔１ｇに係合される。まず、本体部３１のコレット３１ａを縮径しつつ、便器本体１の通孔１ｇ内に後壁面１ｅの外方からその本体部３１及び第１係合部３２を挿入する。この後、後壁面１ｅとの間にパッキン３５を設けつつ、第２係合部３３のフランジ３３ａを本体部３１の雄螺子３２ａに嵌め、座金３６を介してナット３７を雄螺子３２ａに螺合させる。次いで、第１係合部３２の給水路３０ａ内にリム用導管７を挿入し、アジャストパッキン３８及び図示しないスリップワッシャを嵌め、雄螺子３２ａに袋ナット３９を螺合する。この後、第２係合部３３の外周面にチューブ９を嵌める。
【００３１】
以上のように構成されたタンクレス便器においても、実施形態１と同様の作用及び効果を奏することができる。
（実施形態４）
実施形態４のタンクレス便器では、図１１及び図１２に示すスパッド４０を採用している。他の構成は実施形態１と同様である。
【００３２】
スパッド４０は、通孔１ｇに係合される本体部４１と、この本体部４１と一体をなし、リム用導管７を係合させる第１係合部４２と、本体部４１と一体をなし、チューブ９を係合させる第２係合部４３と、本体部４１と一体をなし、リム通水路１ｂ内まで延在する案内部４４とを有している。第１係合部４２及び案内部４４内にリム用導管７と連通する給水路４０ａが形成されている。また、本体部４１と案内部４４との間及び第２係合部４３によりチューブ９と連通する排水路４０ｂが形成されている。
【００３３】
本体部４１の内方側には周方向で４分割され、先端側が先細りのコレット４１ａが形成され、コレット４１ａより外端側の外周には雄螺子４１ｂが形成されている。また、本体部４１内には段部４１ｃが形成され、段部４１ｃに筒状の案内部４４が圧入されている。こうして、段部４１ｃの部分を除く本体部４１の内面と案内部４４の外面とで排水路４０ｂが形成されている。案内部４４は、給水路４０ａをリム通水路１ｂの一方向に開口させる射水口４４ａと、他方向に開口させる射水口４４ｂとを有している。本体部４１と一体の第１係合部４２にはフランジ４２ａが形成されている。また、本体部４１と第１係合部４２との間にはこれらと一体の第２係合部４３が径方向に突設されている。
【００３４】
かかるスパッド４０は以下のように便器本体１の通孔１ｇに係合される。まず、本体部４１のコレット４１ａを縮径しつつ、便器本体１の通孔１ｇ内に後壁面１ｅの外方からその本体部４１及び第１係合部４２を挿入する。この後、後壁面１ｅとの間にパッキン４５及び座金４６を介してナット４７を雄螺子４１ｂに螺合させる。そして、第１係合部４２のフランジ４２ａとリム用導管７のフランジ７ａとをクリップ４８により係止し、第１係合部４２にリム用導管７を係合する。また、第２係合部４３の外周面にチューブ９を嵌める。
【００３５】
以上のように構成されたタンクレス便器においても、実施形態１と同様の作用及び効果を奏することができる。
【図面の簡単な説明】
【図１】実施形態１のタンクレス便器の縦断面図である。
【図２】実施形態１のタンクレス便器の背面図である。
【図３】実施形態１のタンクレス便器の一部断面平面図である。
【図４】実施形態１のタンクレス便器の要部拡大縦断面図である。
【図５】実施形態１のタンクレス便器に係るスパッド等の断面図である。
【図６】実施形態１のタンクレス便器に係るスパッドの背面図である。
【図７】実施形態２のタンクレス便器に係るスパッド等の断面図である。
【図８】実施形態２のタンクレス便器に係るスパッドの背面図である。
【図９】実施形態３のタンクレス便器に係るスパッド等の断面図である。
【図１０】実施形態３のタンクレス便器に係るスパッドの背面図である。
【図１１】実施形態４のタンクレス便器に係るスパッド等の断面図である。
【図１２】実施形態４のタンクレス便器に係るスパッドの背面図である。
【符号の説明】
１…便器本体
１ｃ…リム
１ａ…便鉢
１ｂ…リム通水路
１ｆ…リム導水路
７…リム用導管
３…弁手段（給水装置）
３ａ…入水ポート
３ｂ…出水ポート
３ｅ…大気孔
１ｅ…後壁面
１ｇ…通孔
１０、２０、３０、４０…スパッド
１０ａ、２０ａ、３０ａ、４０ａ…給水路
９…配管（チューブ）
１０ｂ、２０ｂ、３０ｂ、４０ｂ…排水路
１１、２１、３１、４１…本体部
１２、２２ａ、３２、４２…第１係合部
１３、２２ｂ、３３、４３…第２係合部
１４、２３、３４、４４…案内部
１４ａ、１４ｂ、２３ａ、２３ｂ、３４ａ、３４ｂ、４４ａ、４４ｂ…射水口
【図１】
0004222533.tif 000002
【図２】
0004222533.tif 000003
【図３】
0004222533.tif 000004
【図４】
0004222533.tif 000005
【図５】
0004222533.tif 000006
【図６】
0004222533.tif 000007
【図７】
0004222533.tif 000008
【図８】
0004222533.tif 000009
【図９】
0004222533.tif 000010
【図１０】
0004222533.tif 000011
【図１１】
0004222533.tif 000012
【図１２】
0004222533.tif 000013